(57)【特許請求の範囲】
【請求項１】
断熱壁とこの断熱壁の両側に取り付けられた側板とにより囲繞される空間に陳列室を構成して成るショーケースにおいて、
前記側板は、後辺と下辺とこれら後辺の上部及び下辺の前部間を結ぶ辺とを有し、前記後辺と下辺とが成す角を二等分する直線に対してその両側が対称形状を呈することを特徴とするショーケース。
【請求項２】
前記側板は、硬質合成樹脂の成型により、内部中空とされると共に、側板内部には、当該内部空間を仕切る複数の仕切壁が一体に形成されていることを特徴とする請求項１のショーケース。
【請求項３】
前記側板の内面には、当該側板を前記断熱壁にネジ止めするためのネジ受けが埋設されていることを特徴とする請求項１又は請求項２のショーケース。
【請求項４】
前記両側板の上端部及び前端部には、相対向する方向に開放した保持部が形成されると共に、これら両側板の保持部間に渡って透明板から成る保持板が保持され、前記断熱壁の前端部及び上端部に位置することを特徴とする請求項１、請求項２又は請求項３のショーケース。
【発明の詳細な説明】
【０００１】
【発明の属する技術分野】
本発明は、断熱壁とこの断熱壁の両側に取り付けられた側板とにより囲繞される空間に陳列室を構成して成るショーケースに関するものである。
【０００２】
【従来の技術】
従来この種ショーケースは、前面に開口する断面略コ字状の断熱壁の両側面に側板を取り付けることにより、断熱壁と側板とにより囲繞される空間に陳列室を構成している。そして、この陳列室内を周知の冷凍サイクルによって所定温度に冷却している。また、開口上縁などに複数の蛍光灯を取り付け陳列室内の照明を行っていた。
【０００３】
【発明が解決しようとする課題】
一方、前記側板は、断熱板の一面に例えば合成樹脂製の内板を取り付けると共にこの内板が取り付けられる面と相対する面に鋼板性材料にて構成される外板が取り付けられることにより構成されていた。また、この側板は、外側と内側が異なる素材によって構成されているため、断熱壁の右側に取り付けられるものと左側に取り付けられるものとを別々に製造しなければならず、組立作業性が悪化すると共に、部品点数の増加と製造コストの高騰を招く問題があった。
【０００４】
また、それぞれ別個に製造された側板を本体の組立までに別々に保管しなければならず、保管スペースの確保や管理が煩雑なものとなる問題があった。
【０００５】
そこで、本発明は従来の技術的課題を解決するために成されたものであり、左右の側板を同一に形成された側板によって構成することができるショーケースを提供することを目的とするものである。
【０００６】
【課題を解決するための手段】
本発明のショーケースは、断熱壁とこの断熱壁の両側に取り付けられた側板とにより囲繞される空間に陳列室を構成して成るものであって、側板は、後辺と下辺とこれら後辺の上部及び下辺の前部間を結ぶ辺とを有し、前記後辺と下辺とが成す角を二等分する直線に対してその両側が対称形状を呈することを特徴とする。
【０００７】
本発明によれば、断熱壁とこの断熱壁の両側に取り付けられた側板とにより囲繞される空間に陳列室を構成してなるものであって、側板は、後辺と下辺とこれら後辺の上部及び下辺の前部間を結ぶ辺とを有し、前記後辺と下辺とが成す角を二等分する直線に対してその両側が対称形状を呈したので、一方の側板を反転させ且つ垂直面上で回転させた状態で他方の側板と対称とすることができ、これにより左右両側の側板を同一形状に形成された側板によって構成することができるようになる。
【０００８】
また、左右の側板を同一に形成された側板によって構成することができるため、組立作業性を向上させることができると共に部品点数及び製造コストの削減を図ることができ、側板の保管及び管理を容易に行うことができるようになる。
【０００９】
請求項２の発明のショーケースは、請求項１の発明に加えて、側板は、硬質合成樹脂の成型により、内部中空とされると共に、側板内部には、当該内部空間を仕切る複数の仕切壁が一体に形成されていることを特徴とする。
【００１０】
請求項２の発明によれば、請求項１の発明に加えて、側板は、硬質合成樹脂の成型により、内部中空とされると共に、側板内部には、内部空間を仕切る複数の仕切壁が一体に形成されているので、側板の断熱効果の向上を図ることができると共に、側板の強度を向上させることができるようになる。
【００１１】
請求項３の発明のショーケースは、請求項１又は請求項２の発明に加えて、側板の内面には、当該側板を断熱壁にネジ止めするためのネジ受けが埋設されていることを特徴とする。
【００１２】
請求項３の発明によれば、請求項１又は請求項２の発明に加えて、側板の内面には、当該側板を断熱壁にネジ止めするためのネジ受けが埋設されているため、ネジによって側板を断熱壁に固定した際に、外面にネジが露出されないため、外観を向上を図ることができるようになる。
【００１３】
請求項４の発明のショーケースは、請求項１、請求項２又は請求項３の発明に加えて、両側板の上端部及び前端部には、相対向する方向に開放した保持部が形成されると共に、これら両側板の保持部間に渡って透明板から成る保持板が保持され、断熱壁の前端部及び上端部に位置することを特徴とする。
【００１４】
請求項４の発明によれば、請求項１、請求項２又は請求項３の発明に加えて、両側板の上端部及び前端部には、相対抗する方向に開放した保持部が形成されていると共に、これら両側板の保持部間に渡って保持板が保持され、断熱壁の上部に位置するので、陳列室内にショーケース上方からの塵埃が侵入することを未然に防止することができるようになると共に、断熱壁の前部に位置する保持板によって、陳列室内の冷気が外部に漏洩することを未然に防止することができる保持板を容易に取り付けることができるようになる。
【００１５】
特に、前記保持板は、透明板によって構成されているので、両側板の前端部に保持される透明板によって陳列室内の商品を外部にアピールすることができると共に、両側板の上端部に保持される透明板によって、陳列室内の採光を図ることができるようになる。
【００１６】
また、上記ショーケースの側板は、反転させ且つ垂直面上で回転させた状態で対称となる形状とされているため、側板の上端部及び前端部に形成される保持部は、共に同一の形状とされるため、両者に保持される透明板も同一の透明板によって構成することができ、部品点数の削減を図ることができるようになる。
【００１７】
【発明の実施の形態】
次に、図面を参照して本発明の実施例を詳述する。図１は本発明のショーケース１の側面図、図２はショーケース１の正面図をそれぞれ示している。本発明のショーケース１は断面略Ｌ字状の断熱壁２と、この断熱壁２の両側に取り付けられた本発明の側板３、３とから構成されている。尚、側板３の詳細は後述する。また、断熱壁２の上端及び前端には、左右に渡って延在して形成される保持板としての透明板２７Ａ、２７Ｂがそれぞれ設けられる。
【００１８】
更に、断熱壁２の内側にはそれぞれ間隔を存して仕切板４が取り付けられ、この仕切板４と断熱壁２間をダクト７としている。また、断熱壁２の両端には、内方に突出して形成される取付部２Ａ、２Ａが設けられており、この取付部２Ａには、ネジ穴８が複数形成されている。
【００１９】
仕切板４の底部には底板としてのデックパン９が設けられており、これら仕切板４及びデックパン９の内側を陳列室１１としている。断熱壁２の底壁２Ｂとデックパン９との間には、前記ダクト７に連通される冷却室１３が形成されている。断熱壁２の底壁２Ｂには凹所１２（図３では省略している）が形成され、冷却室１３をダクト７より広い空間としている。断熱壁２の底壁２Ｂ上には図示しないファンケースが設置されており、このファンケースには送風機１４が取り付けられている。冷却室１３内には、冷却装置の冷却器１５が設置されており、前記送風機１４が運転されると冷却器１５と熱交換した冷気はダクト７内を上昇せられ、仕切板４の上端と断熱壁２との間に形成された吐出口１６より陳列室１１内に吐出される。そして、仕切板４の前端と断熱壁の底壁２Ｂとの間に形成された吸込口１７から吸い込まれた冷気は再び送風機１４によって加速され、陳列室１１内に冷気が循環されて陳列室１１内は所定の温度に冷却される。
【００２０】
また、断熱壁２の底壁２Ｂの下方には、機械室６が形成されており、この機械室６内には前記冷却器１５と所謂冷媒サイクルを形成する凝縮器１８及び図示しない圧縮機等が設けられている。また、この凝縮器１８の後方には、凝縮器用送風機１９が取り付けられており、機械室６前面には、図示しないグリルが形成され、グリルより吸気され、後方より廃熱が外部に排出される。
【００２１】
次に、図３乃至図６を参照して本発明の側板３について説明する。図３は側板３及び断熱壁２の分解斜視図、図４は側板３の内面からみた側面図、図５は側板３の透視正面図、図６は、図５のＢ−Ｂ断面図を示している。係る側板３は、図６に示す如く硬質合成樹脂をブロー成型等の成型方法によって、内部を中空として形成されると共に、係る側板３の内部空間には、例えば縦横に複数の仕切壁２８が一体に形成されている。そして、この側板３は、前記断熱壁２の側面より少許大きい寸法の平板状に形成されている。
【００２２】
これにより、側板３内部には、内部空間を仕切る複数の仕切壁２８が一体に形成されているので、側板３の断熱効果の向上を図ることができると共に、側板３の強度を向上させることができる。
【００２３】
また、この側板３は、後辺２２と下辺２３とこれら後辺２２の上部（本実施例では上端）及び下辺２３の前部（本実施例では前端）間を結ぶ辺とを有し、後辺２２と下辺２３とが成す角を二等分する直線（図４におけるＡ−Ａ波線）に対してその両側が対称形状を呈するように形成されている。そして、側板３の後辺２２の上端より、所定寸法分だけ前方に向けて形成した上面部３０と、下辺２３の前端より、同寸法分だけ上方に向けて前面部３１が形成され、係る後辺２２の上面部３０の前端から下辺２３の前面部３１の上端に向かって所定曲率で湾曲した湾曲部２０が形成されている。また、この湾曲部２０の前端には、上端から下端に渡って取付溝２０Ａが形成されている。また、この側板３の湾曲部２０の取付溝２０Ａには、下端に突状の取付部２１Ａが形成されたアクリル板２１が係る湾曲形状に沿って取り付けられる。
【００２４】
また、側板３の湾曲部２０以外の外縁には、内方に向けて突出した係合部２４が形成されており、係る係合部２４の前記後辺２２の上面部３０に相当する位置には、側板３を断熱壁２に取り付けた際に、前記透明板２７Ａを挿入して保持するための保持部２５が形成されている。また、前述の如く、後辺２２と下辺２３とが成す角を二等分する直線（図４におけるＡ−Ａ波線）に対してその両側が対称形状を呈するように、係合部２４の下辺２３の前面部３１に相当する位置にも透明板２７Ｂを挿入して保持するための保持部２６が形成されている。
【００２５】
更にまた、側板３の係合部２４が突出して形成される内面側には、前記断熱壁２に形成される取付部２Ａのネジ穴８と合致する位置に予めネジ受けとしてのナット２９が複数埋設されている。
【００２６】
以上の構成により、本発明のショーケース１の組立手順について説明する。先ず、断熱壁２の向かって左側に、断熱壁２と側板３の内側、即ち、係合部２４が突出して形成される側を合致させ、断熱壁２の取付部２Ａのネジ穴８とナット２９を合致させ、図示しないネジにて固定する。このとき、ネジ受けとしてのナット２９は、側板３の内面側に埋設されているため、側板３の外面にネジが露出されず、外観を向上を図ることができる。
【００２７】
また、側板３の上端部に形成された保持部２５内には、透明板２７Ａが挿入され保持される。同じく側板３の前端部に形成された保持部２６内には、透明板２７Ｂが挿入され保持される。これにより、ショーケース１の上方から陳列室１１内に侵入する塵埃などを防止することができる。また、透明板によって構成することにより、透明板２７Ａから陳列室１１内に光を取り入れることが可能となる。
【００２８】
次に、断熱壁２の向かって右側には、前記向かって左側に取り付けられる側板３と同じ状態にした後、左右を反転させ、更に垂直面上で前方から見て反時計回りに９０度回転させた状態とする。これにより、向かって右側の側板３は、下辺２３が断熱壁２の後端と合致され、後辺２２が断熱壁２の下端と合致されることにより、係合部２４が突出して形成される側と断熱壁２が合致される。この状態で、断熱壁２の取付部２Ａのネジ穴８とナット２９を合致させ、図示しないネジにて固定する。
【００２９】
また、このとき側板３の上端部に位置する保持部２６内には、透明板２７Ａが挿入され保持される。同じく側板３の前端部に位置する保持部２５内には、透明板２７Ｂが挿入され保持される。これにより、陳列室１１内の冷気の漏出を未然に防止することができる透明板を容易に取り付けることができると共に、透明板によって構成されることにより、透明板２７Ｂ越しに陳列室１１内に陳列された商品をアピールすることが可能となる。
【００３０】
ここで、側板３の保持部２５及び２６は、後辺２２と下辺２３とが成す角を二等分する直線に対してその両側が対称形状を呈するように同様の形状に形成されているため、向かって左側の側板３の上端部の保持部２５と向かって右側の側板３の上端部に位置する保持部２６とが対称形状となり、確実に透明板２７Ａを保持することができる。また、断熱壁２の前端部に取り付けられる透明板２７Ｂも同様にそれぞれの側板３の保持部２５及び２６によって保持されるため、上端部に取り付けられる透明板２７Ａと同一の透明板にて構成することができる。そのため、部品点数の削減を図ることができる。
【００３１】
これにより、本発明の側板３は、後辺２２と下辺２３とこれら後辺２２の上端及び下辺２３の前端間を結ぶ辺とを有し、後辺２２と下辺２３とが成す角を二等分する直線に対してその両側が対称形状を呈するように構成されるので、一方の側板３を反転させ且つ垂直面上で回転させた状態で他方の側板３と対称とすることができ、これにより左右両側の側板３を同一形状に形成された側板３によって構成することができる。そのため、組立作業性を向上させることができると共に部品点数及び製造コストの削減を図ることができ、側板の保管及び管理を容易に行うことができるようになる。
【００３２】
尚、本実施例における側板３を直方体とした場合には、側板３を反転させるのみで、左右両側の側板を同一形状にて構成することができる。この場合、側板３に形成されるネジ孔９は、ショーケース１の下部の前側と後側更に、上部の後側の３カ所に設ければよいが、その場合、側板３に形成されるネジ受け２９は、４カ所に設ける必要がある。そのため、上部の前側に設けられたネジ受けとしてのナット２９は、例えばカバー部材などによって被覆する必要がある。
【００３３】
【発明の効果】
以上詳述した如く本発明によれば、断熱壁とこの断熱壁の両側に取り付けられた側板とにより囲繞される空間に陳列室を構成してなるものであって、側板は、後辺と下辺とこれら後辺の上部及び下辺の前部間を結ぶ辺とを有し、前記後辺と下辺とが成す角を二等分する直線に対してその両側が対称形状を呈したので、一方の側板を反転させ且つ垂直面上で回転させた状態で他方の側板と対称とすることができ、これにより左右両側の側板を同一形状に形成された側板によって構成することができるようになる。
【００３４】
また、左右の側板を同一に形成された側板によって構成することができるため、組立作業性を向上させることができると共に部品点数及び製造コストの削減を図ることができ、側板の保管及び管理を容易に行うことができるようになる。
【００３５】
請求項２の発明によれば、請求項１の発明に加えて、側板は、硬質合成樹脂の成型により、内部中空とされると共に、側板内部には、内部空間を仕切る複数の仕切壁が一体に形成されているので、側板の断熱効果の向上を図ることができると共に、側板の強度を向上させることができるようになる。
【００３６】
請求項３の発明によれば、請求項１又は請求項２の発明に加えて、側板の内面には、当該側板を断熱壁にネジ止めするためのネジ受けが埋設されているため、ネジによって側板を断熱壁に固定した際に、外面にネジが露出されないため、外観を向上を図ることができるようになる。
【００３７】
請求項４の発明によれば、請求項１、請求項２又は請求項３の発明に加えて、両側板の上端部及び前端部には、相対抗する方向に開放した保持部が形成されていると共に、これら両側板の保持部間に渡って保持板が保持され、断熱壁の上部に位置するので、陳列室内にショーケース上方からの塵埃が侵入することを未然に防止することができるようになると共に、断熱壁の前部に位置する保持板によって、陳列室内の冷気が外部に漏洩することを未然に防止することができる保持板を容易に取り付けることができるようになる。
【００３８】
特に、保持板は、透明板によって構成されているので、両側板の前端部に保持される透明板によって陳列室内の商品を外部にアピールすることができると共に、両側板の上端部に保持される透明板によって、陳列室内の採光を図ることができるようになる。
【００３９】
また、上記ショーケースの側板は、反転させ且つ垂直面上で回転させた状態で対称となる形状とされているため、側板の上端部及び前端部に形成される保持部は、共に同一の形状とされるため、両者に保持される透明板も同一の透明板によって構成することができ、部品点数の削減を図ることができるようになる。
【図面の簡単な説明】
【図１】  本実施例のショーケースの側面図である。
【図２】  本実施例のショーケースの正面図である。
【図３】  側板及び断熱壁の分解斜視図である。
【図４】  側板の内面からみた側面図である。
【図５】  側板の透視正面図である。
【図６】  図５のＢ−Ｂ断面図である。
【符号の説明】
１  ショーケース
２  断熱壁
２Ａ  取付部
３  側板
４  仕切板
８  ネジ穴
９  デックパン
１１  陳列室
２０  湾曲部
２０Ａ  取付溝
２１  アクリル板
２２  後辺
２３  下辺
２４  係合部
２５、２６  保持部
２７  透明板
２８  仕切壁
２９  ナット
３０  上面部
３１  前面部
【図１】
0004162361.tif 000002
【図２】
0004162361.tif 000003
【図３】
0004162361.tif 000004
【図４】
0004162361.tif 000005
【図５】
0004162361.tif 000006
【図６】
0004162361.tif 000007